(57)【要約】【課題】洪水時には蓋１を自由に浮上させ、水が引いた後には再度正確な位置に復元させることができ、さらに重量物である鉄蓋を直角に立てることなく開放することができる、蓋１が浮上するマンホールの構造を提供することを目的とする。【解決手段】マンホールの蓋枠と、蓋枠の内部に収納可能な蓋とより構成する。蓋と蓋枠とは支持軸によって取り付ける。支持軸は縦軸の上端に水平軸を形成して構成し、支持軸の水平軸を、蓋の裏面に回転自在に取り付ける。支持軸の縦軸を、蓋枠の係合穴に貫通して係合させ、支持軸の下端には係合穴の内径より直径の大きい抵抗体を取り付ける。支持軸が、係合穴の内部で縦軸を中心に少なくとも１８０度の回転が可能であるように構成する。【選択図】　　　　図１
2004027573.tif 000002
【特許請求の範囲】
【請求項１】
マンホールの蓋枠と、
蓋枠の内部に収納可能な蓋とより構成し、
蓋と蓋枠とは支持軸によって取り付け、
支持軸は縦軸の上端に水平軸を形成して構成し、
支持軸の水平軸を、蓋の裏面に回転自在に取り付け、
支持軸の縦軸を、蓋枠の係合穴に貫通して係合させ、
支持軸の下端には係合穴の内径より直径の大きい抵抗体を取り付け、
支持軸が、係合穴の内部で縦軸を中心に少なくとも１８０度の回転が可能であるように構成した、
マンホールの構造。
【請求項２】
支持軸からは係合枝を突設し、
蓋の鉛直上昇時には、この係合枝が、蓋枠に凹設した係合溝に係合可能に構成した、
請求項１記載のマンホールの構造。
【請求項３】
支持軸の縦軸の下端に取り付ける抵抗体は、縦軸とは取り付け、取り外しが可能であるように構成した、
請求項１記載のマンホールの構造。
【発明の詳細な説明】
【０００１】
【発明の属する技術分野】
本発明は、マンホールの構造に関するものである。
【０００２】
【従来の技術】
豪雨などにより短期間に計画量を超えた水が下水道に集まる場合がある。
するとマンホールの蓋が下から押し上げられて浮上する。
その場合に予めマンホールの一部と蓋とを連結してないと蓋が流出してマンホールが開放してしまい、危険な状態となる。
そのような問題を生じないために、マンホールの躯体と蓋とをなんらかの方法で連結して蓋の流出を阻止する方法も採用されている。
【０００３】
【本発明が解決しようとする課題】
しかし洪水時にマンホールの蓋が浮上するだけでなく、水が引いた後には再び正確に元の位置に復元して完全に蓋としてマンホールを閉塞させなければならない。
ところが押し上げられて浮上した蓋は水圧によって真上に浮上せず、多少下流側にずれた状態で浮上するから、水が引いた場合には位置がずれてしまい、正確にマンホールを閉塞することが困難な場合が生じる。
さらに別の問題として、蓋が相当の重量のある鉄材で構成してあることから、蓋を完全に９０度まで立ち上げて開閉するには多大な労力を要するとともに危険であるという問題がある。
【０００４】
【本発明の目的】
本発明は上記したような従来の問題を解決するためになされたもので、洪水時には蓋を自由に浮上させ、水が引いた後には再度正確な位置に復元させることができる、マンホールの構造を提供することを目的とする。
さらに本発明は、重量物である蓋を９０度まで立ち上げて開閉する必要のない、開閉が容易な、マンホールの構造を提供することを目的とする。
【０００５】
【課題を解決するための手段】
上記のような目的を達成するために、本発明のマンホールの構造は、マンホールの蓋枠と、蓋枠の内部に収納可能な蓋とより構成し、蓋と蓋枠とは支持軸によって取り付け、支持軸は縦軸の上端に水平軸を形成して構成し、支持軸の水平軸を、蓋の裏面に回転自在に取り付け、支持軸の縦軸を、蓋枠の係合穴に貫通して係合させ、支持軸の下端には係合穴の内径より直径の大きい抵抗体を取り付け、支持軸が、係合穴の内部で縦軸を中心に少なくとも１８０度の回転が可能であるように構成した、マンホールの構造を特徴としたものである。
【０００６】
【本発明の実施の態様】
以下図面を参照しながら本発明のマンホールの構造の実施例について説明する。
【０００７】
＜イ＞全体の構成。
本発明は、マンホールの蓋枠２と、蓋枠２の内部に収納可能な蓋１とより構成する。
蓋枠２はその内側に上方に向けて開いた傾斜面２１を付けて形成する。
したがって、蓋１を閉める際には、蓋は傾斜面２１を滑る状態で蓋枠２の内部に収納される。
蓋の下面には、キー軸３と、支持軸４とを突設する。
このキー軸３と支持軸４によって、蓋１を蓋枠２に対して昇降自在に取りつける。
【０００８】
＜ロ＞キー軸３。
キー軸３の回転によって蓋１と蓋枠とを係合、開錠自在に構成する。
具体的には、蓋１を貫通する状態で、回転自在にキー軸３を取りつける。キー軸３の頭部は、蓋１の表面に露出させる。
キー軸３の下部は蓋１の下面に突出させる。
そして、キー軸３の下端には直交する係合ピン３１をＴ字状に取りつける。
係合ピン３１は細長の棒状体である。
【０００９】
＜ハ＞係合窓２２。
一方、蓋枠２には、蓋１を閉めた場合に上記した係合ピン３１が挿入する係合窓２２を開設する。
この係合窓２２は係合ピン３１の直径とほぼ同一の幅を有し、係合ピン３１の直径よりも長い高さを有する、縦長の開口部である。
そのために、係合窓２２に挿入した係合ピン３１は、一定の高さだけ上昇が可能となり、その結果、蓋１も同一の距離だけ昇降が可能となる。
【００１０】
＜ニ＞支持軸４。（図２）
蓋１の下面には、キー軸３と反対の位置に、支持軸４を取りつける。
この支持軸４は縦軸４５の上端に水平軸４１を形成した、ほぼＴ字状の棒状体である。
Ｔ字の横線に該当する部分が水平軸４１であり、この水平軸４１を蓋１裏面の軸穴に挿入することにより、蓋１は水平軸４１を中心に回転自在となり、すなわち開閉自在となる。
Ｔ字の縦線に該当する縦軸４５の中間に枝状に係合枝４２を突設する。
さらに縦軸４５の下端には係合体４３を取り付ける。
この係合体は、後述する蓋枠側の係合穴の内径よりも大きい寸法の部材である。
この係合体４３を例えば球体として形成し、その中央に貫通穴４４を開口し、この貫通穴４４に支持軸４の縦軸４５を挿入し、露出した端部に直交方向にストッパーピンを挿入して係合体４３の抜け出しを阻止する。
【００１１】
＜ホ＞支持軸係合穴。
蓋枠２には、係合窓２２と反対側に支持軸係合穴５を設ける。
この係合穴５の内径は、支持軸４の直径よりは大きく、係合体４３の直径よりは小さい。
したがって、支持軸４は支持軸係合穴５の内部で縦軸４５を中心に回転が可能である。
支持軸４の縦軸４５が通常の棒状体であれば、係合穴の内部で３６０度の回転が可能であるが、目的を達成するためには、少なくとも１８０度の回転が可能であればよい。
さらに支持軸４は係合穴５の内部で昇降自在である。
しかし一定距離以上の上方向への抜け出しは、下に位置させた係合体４３の存在によって阻止される。
さらに係合穴５の周辺には、係合溝４６を凹設する。
蓋１が鉛直方向に上昇した場合には、この係合溝４６に、支持軸４の係合枝４２が係合するために、蓋１はそれ以上は上昇することが不可能となる。
【００１２】
＜ヘ＞蓋１の上昇、下降。（図４）
洪水などで下水道の水量が設計量以上になると、蓋１が下から押し上げられ、ほぼ鉛直方向に上昇する。
その上昇量に応じて水は蓋１と蓋枠２との間隔から外部に流出することができる。
その場合の蓋１の上昇量は、キー軸３と支持軸４の長さによって拘束されている。
キー軸の上昇距離は、ピン３１が係合する係合窓２２の鉛直方向の長さによって決まる。
支持軸４の上昇距離は、係合枝４２が係合溝４６に係合するまでの支持軸４の長さによって決まる。
この上昇許容距離を、蓋１が蓋枠２の縁よりも上方に上昇することができない範囲に定めておけば、水位が下降した場合に蓋１は蓋枠２の内側の傾斜面２１に誘導されて、正確な位置に復元する。
したがって蓋１が下降した場合に蓋１が横移動してマンホールが開口したまま、いった危険が発生することはない。
【００１３】
＜ト＞蓋１の開放。（図５）
マンホールに人が入る場合などには蓋１を開放する必要がある。
その場合には、まずキー軸３を蓋１の外部から回転する。
次に、蓋１に開口した開放用の穴に特殊な形状の工具を係合してキー軸３側に引き寄せながら、蓋１を引き上げる。
するとまず蓋１がキー軸３側に引かれて移動する。この蓋１の移動によって、支持軸４の縦軸４５部分が係合穴５の内部でキー軸３側に移動する。
そのために蓋１を引き上げても係合枝４２が係合溝４６に係合することがなく、蓋１を完全に開放することができる。
【００１４】
＜チ＞蓋の水平回転。（図６〜８）
通常の蓋１は、一度直角に起こし、反対側に寝かせる作業を行う。
しかし蓋１は相当の厚み、重量のある鉄材であるから、直角に起こしてから再度寝かせる作業は危険を伴う。
これに対して本発明の蓋１は、支持軸４に取り付けてあり、支持軸４は図７に示すように、鉛直状態を維持したまま、係合穴５の内部で自由に回転することができる。
したがって、支持軸４に取り付けてある蓋１は、直角に起こすことなく、一度蓋枠２の面よりも上方に引き上げたら、ほぼ水平に寝かしたまま、水平面上を回転させて蓋枠２の内部を開放することができる。（図６、８）
【００１５】
【本発明の効果】
本発明の蓋１が浮上するマンホールの構造は以上説明したようになるから、次ぎのような効果を期待することができる。
＜イ＞蓋１の上昇距離が、キー軸３と支持軸４の長さによって拘束され、かつキー軸３側では蓋１が蓋枠２の縁よりも上まで上昇することがない。
そのために洪水時に蓋１が上昇してもその蓋１の位置が横方向にずれてしまうことがない。
したがって、復元した場合に正確にもとの位置まで戻り、マンホールの一部が開口したままになるような危険が発生しない。
＜ロ＞通常の蓋は、一度直角に起こし、反対側に寝かせる作業を行う。
しかし蓋は相当の厚み、重量のある鉄材であるから、直角に起こしてから再度倒して寝かせる作業は危険を伴う。
これに対して本発明の蓋は、直角に起こすことなく、ほぼ水平に寝かしたまま、水平面上を回転させて蓋枠の内部を開放することができるから重量物であっても安全に取り扱うことができる。
【図面の簡単な説明】
【図１】本発明の蓋が浮上するマンホールの全体の説明図。
【図２】蓋を支持する支持軸の形状の斜視図。
【図３】蓋を閉めた場合の支持軸の配置の説明図。
【図４】洪水などで蓋が浮上した場合の支持軸の配置の説明図。
【図５】蓋を開けた場合の支持軸の配置の説明図。
【図６】蓋を反対方向に水平回転させた場合の支持軸の配置の説明図。
【図７】図６の場合の支持軸の配置の斜視図。
【図８】蓋を起こさずに水平回転させた状態の説明図。
【図１】
2004027573.tif 000003
【図２】
2004027573.tif 000004
【図３】
2004027573.tif 000005
【図４】
2004027573.tif 000006
【図５】
2004027573.tif 000007
【図６】
2004027573.tif 000008
【図７】
2004027573.tif 000009
【図８】
2004027573.tif 000010